(57)【要約】      （修正有）【課題】外観に金属を露出させないで折り畳み構造の骨格部分にのみ外観部品よりも強い強度を持つ補強部品を使用して生産性を向上させるようにした折り畳み式携帯電話機を提供する。【解決手段】第１の筺体は、表示部用窓11を備える上ケース12と、電気部品が搭載された上基板13と、上ヒンジフレーム14と、これらの部品を搭載する上カバー15などによって構成されている。また第２の筺体は、キー操作部を設けるキー孔21が開けられた下カバー22と、電気部品が搭載されたＰＣＢ（Printing Circuit Board）から成る下基板23と、下ヒンジフレーム24と、これらの部品を搭載する下ケース25などによって構成されている。【選択図】図１
2009268126.tif 000002
【特許請求の範囲】
【請求項１】
受話部を備える第１の筺体と送話部を備える第２の筺体とがヒンジを軸に相互に回転して折り畳み可能に構成された折り畳み式携帯電話機において、前記第１の筐体及び前記第２の筐体のヒンジ部の一方または両方が外観部品よりも強い強度を持ち前記外観部品を補強する補強部品より構成されていることを特徴とする折り畳み式携帯電話機。
【発明の詳細な説明】
【技術分野】
【０００１】
本発明は、折り畳み式携帯電話機に関し、特に外観に金属を露出させないで折り畳み構造の骨格部分にのみ外観部品（例えば樹脂）よりも強い強度を持つ補強部品（例えば金属）を使用して生産性を向上させるようにしたものである。
【背景技術】
【０００２】
従来、筐体部品として軽くて丈夫なマグネシウムなどの金属部品を筺体外観に使用する例として、例えば特開平9-236951号公報、特開平11-87940号公報に記載されるものが知られている。
【発明の概要】
【発明が解決しようとする課題】
【０００３】
通常、筐体部品に軽くて丈夫なマグネシウムなどの金属部品を筺体外観に使用するための工程として、防錆処理、化成処理、外観塗装など数多くの工程を経ることになるが、ヒケ（えくぼ状の欠陥）、湯ジワ（凹凸状の欠陥）、下地ムラ、色ムラなど欠陥については、外観塗装や防錆処理をしてみないと分らないため歩留まりが悪く、また筐体外観全体に金属部品を使用しているのでコストが高いという問題があった。
【０００４】
本発明は、上記のような問題に鑑み、外観に金属を露出させないで折り畳み構造の骨格部分にのみ外観部品よりも強い強度を持つ補強部品を使用して生産性を向上させるようにした折り畳み式携帯電話機を提供することを目的とする。
【課題を解決するための手段】
【０００５】
本願の請求項１に記載の発明は、受話部を備える第１の筺体と送話部を備える第２の筺体とがヒンジを軸に相互に回転して折り畳み可能に構成された折り畳み式携帯電話機において、前記第１の筐体及び前記第２の筐体のヒンジ部の一方または両方が外観部品よりも強い強度を持ち前記外観部品を補強する補強部品より構成されていることを特徴とする折り畳み式携帯電話機としたものである。
【０００６】
この構成によれば、ヒンジ部の一方または両方にだけ外観部品よりも強い強度を持ち前記外観部品を補強する補強部品を使用するので、外観部品を歩留まりよく生産することができる。
【０００７】
また、本願の請求項２に記載の発明は、前記外観部品は少なくとも前記第１の筐体の上ケースまたは前記第２の筐体の下カバーであり、前記補強部品は前記第１及び第２の筐体に対応して設けられるヒンジ部を備える上ヒンジフレーム及び下ヒンジフレームであることを特徴とする請求項１に記載の折り畳み式携帯電話機としたものである。
【０００８】
この構成によれば、ヒンジフレームのみに補強部品を使用するので、外観部品を歩留まりよく生産することができる。
【０００９】
また、本願の請求項３に記載の発明は、前記上ヒンジフレーム又は前記下ヒンジフレームが前記外観部品にインサートされていることを特徴とする請求項２に記載の折り畳み式携帯電話機としたものである。
【００１０】
この構成によれば、外観部品にインサート成型により容易にヒンジフレームを構成することができる。
【００１１】
また、本願の請求項４に記載の発明は、前記上ヒンジフレーム又は下ヒンジフレームが基板を保持するシャーシと一体構造となっていることを特徴とする請求項２に記載の折り畳み式携帯電話機としたものである。
【００１２】
この構成によれば、ヒンジフレームとシャーシを一体化して構成することができる。
【００１３】
また、本願の請求項５に記載の発明は、前記シャーシが不要電磁波を吸収する電磁波吸収体の機能を備えていることを特徴とする請求項４に記載の折り畳み式携帯電話機としたものである。
【００１４】
この構成によれば、ヒンジフレームとシャーシを一体化した上に、シャーシに電磁波吸収機能を持たせることができる。
【００１５】
また、本願の請求項６に記載の発明は、前記シャーシに一部にリブを設け、前記外観部品嵌合部からの光漏れを防止するようにしたことを特徴とする請求項４に記載の折り畳み式携帯電話機としたものである。
【００１６】
この構成によれば、折り畳んだときにケース・カバーの分割部、すなわち外観部品嵌合部からの光漏れを防止することができる。
【００１７】
また、本願の請求項７に記載の発明は、前記シャーシの周囲にリブを設け、筺体を成す外観部品を補強するようにしたことを特徴とする請求項４に記載の折り畳み式携帯電話機としたものである。
【００１８】
この構成によれば、ケースやカバーなどの外観部品の強度を増すことができる。
【００１９】
また、本願の請求項８に記載の発明は、前記上ヒンジフレーム又は前記下ヒンジフレームがネジ止め、爪嵌合などの手段により前記外観部品に固定されていることを特徴とする請求項４乃至請求項７のいずれかに記載の折り畳み式携帯電話機としたものである。
【００２０】
この構成によれば、ヒンジフレームを直接外観部品に固定することができる。
【００２１】
また、本願の請求項９に記載の発明は、前記上ヒンジフレーム又は前記下ヒンジフレームが単独部品で構成されるとともに基板を保持するシャーシに固着され、前記シャーシがネジ止め、爪嵌合などの手段により前記外観部品に固定されていることを特徴とする請求項２に記載の折り畳み式携帯電話機としたものである。
【００２２】
この構成によれば、ヒンジフレームが固着されたシャーシを介して外観部品に固定することができる。
【００２３】
また、本願の請求項１０に記載の発明は、前記上ヒンジフレーム及び前記下ヒンジフレームのヒンジ部を１個だけ設けたことを特徴とする請求項２乃至請求項９のいずれかに記載の折り畳み式携帯電話機としたものである。
【００２４】
この構成によれば、ヒンジ部が１個だけであるので、他方のヒンジ部の対応箇所にカメラ等の他の部品を搭載することができる。
【発明の効果】
【００２５】
以上に説明したとおり、本願の請求項１に記載の発明は、受話部を備える第１の筺体と送話部を備える第２の筺体とがヒンジを軸に相互に回転して折り畳み可能に構成された折り畳み式携帯電話機において、前記第１の筐体及び前記第２の筐体のヒンジ部の一方または両方が外観部品よりも強い強度を持ち前記外観部品を補強する補強部品より構成されていることを特徴とする折り畳み式携帯電話機としたものである。この構成によれば、ヒンジ部の一方または両方にだけ外観部品よりも強い強度を持ち前記外観部品を補強する補強部品を使用するので、外観部品を歩留まりよく生産することができるという効果を有する。
【００２６】
また、本願の請求項２に記載の発明は、前記外観部品は少なくとも前記第１の筐体の上ケースまたは前記第２の筐体の下カバーであり、前記補強部品は前記第１及び第２の筐体に対応して設けられるヒンジ部を備える上ヒンジフレーム及び下ヒンジフレームであることを特徴とする請求項１に記載の折り畳み式携帯電話機としたものである。この構成によれば、ヒンジフレームのみに補強部品を使用するので、外観部品を歩留まりよく生産することができるという効果を有する。
【００２７】
また、本願の請求項３に記載の発明は、前記上ヒンジフレーム又は前記下ヒンジフレームが前記外観部品にインサートされていることを特徴とする請求項２に記載の折り畳み式携帯電話機としたものである。この構成によれば、外観部品にインサート成型により容易にヒンジフレームを構成することができるという効果を有する。
【００２８】
また、本願の請求項４に記載の発明は、前記上ヒンジフレーム又は下ヒンジフレームが基板を保持するシャーシと一体構造となっていることを特徴とする請求項２に記載の折り畳み式携帯電話機としたものである。この構成によれば、ヒンジフレームとシャーシを一体化して構成することができるという効果を有する。
【００２９】
また、本願の請求項５に記載の発明は、前記シャーシが不要電磁波を吸収する電磁波吸収体の機能を備えていることを特徴とする請求項４に記載の折り畳み式携帯電話機としたものである。この構成によれば、ヒンジフレームとシャーシを一体化した上に、シャーシに電磁波吸収機能を持たせることができるという効果を有する。
【００３０】
また、本願の請求項６に記載の発明は、前記シャーシに一部にリブを設け、前記外観部品嵌合部からの光漏れを防止するようにしたことを特徴とする請求項４に記載の折り畳み式携帯電話機としたものである。この構成によれば、折り畳んだときにケース・カバーの分割部、すなわち外観部品嵌合部からの光漏れを防止することができるという効果を有する。
【００３１】
また、本願の請求項７に記載の発明は、前記シャーシの周囲にリブを設け、筺体を成す外観部品を補強するようにしたことを特徴とする請求項４に記載の折り畳み式携帯電話機としたものである。この構成によれば、ケースやカバーなどの外観部品の強度を増すことができるという効果を有する。
【００３２】
また、本願の請求項８に記載の発明は、前記上ヒンジフレーム又は前記下ヒンジフレームがネジ止め、爪嵌合などの手段により前記外観部品に固定されていることを特徴とする請求項４乃至請求項７のいずれかに記載の折り畳み式携帯電話機としたものである。この構成によれば、ヒンジフレームを直接外観部品に固定することができるという効果を有する。
【００３３】
また、本願の請求項９に記載の発明は、前記上ヒンジフレーム又は前記下ヒンジフレームが単独部品で構成されるとともに基板を保持するシャーシに固着され、前記シャーシがネジ止め、爪嵌合などの手段により前記外観部品に固定されていることを特徴とする請求項２に記載の折り畳み式携帯電話機としたものである。この構成によれば、ヒンジフレームが固着されたシャーシを介して外観部品に固定することができるという効果を有する。
【００３４】
また、本願の請求項１０に記載の発明は、前記上ヒンジフレーム及び前記下ヒンジフレームのヒンジ部を１個だけ設けたことを特徴とする請求項２乃至請求項９のいずれかに記載の折り畳み式携帯電話機としたものである。この構成によれば、ヒンジ部を１個だけ設けたので、他方のヒンジ部の対応箇所にカメラ等の他の部品を搭載することができるという効果を有する。
【図面の簡単な説明】
【００３５】
【図１】本発明の実施の形態に係る折り畳み式携帯電話機の構成を示す分解斜視図、
【図２】ヒンジフレームが基板を保持するシャーシと一体構造となっている構成例を示す図、
【図３】図２のヒンジフレームが基板を保持するシャーシと一体構造となっている構成において、光漏れリブを設けた例を示す図、
【図４】（ａ）は、シャーシの周囲にコの字の第１の補強リブを設け、筺体を成す外観部品を補強するようにした構成を示す図、  （ｂ）は、シャーシの周囲にＨ型の第２の補強リブを設け、筺体を成す外観部品を補強するようにした構成を示す図、
【図５】（ａ）は、シャーシの周囲にコの字の第１の補強リブを設け、シャーシに孔を設けるようにした構成を示す図、  （ｂ）は、シャーシの周囲にＨ型の第２の補強リブを設け、シャーシに孔を設けるようにした構成を示す図、
【図６】図１と別構成の本発明の実施の形態に係る折り畳み式携帯電話機の構成を示す分解斜視図である。
【発明を実施するための形態】
【００３６】
以下、本発明の実施の形態について、図面を用いて説明する。
【００３７】
図１は、本発明の実施の形態に係る折り畳み式携帯電話機の構成を示す分解斜視図である。図１において折り畳み式携帯電話機は、カバー、ケースの外観部品と、電気部品が搭載された上基板と、ヒンジ部とを有する第１の筐体と第２の筐体から構成されている。
【００３８】
この場合、受話部（図示せず）及び表示部（図示せず）を備える側を第１の筺体とし、送話部（図示せず）およびキー操作部（図示せず）を備える側を第２の筺体とすることができる。
【００３９】
そして、第１の筐体と第２の筐体は、ヒンジによって相互に結合され且つヒンジを軸に相互に回転して折り畳み可能に構成されている。
【００４０】
図１において第１の筺体は、表示部（図示せず）用窓11を備える上ケース12と、電気部品（図示せず）が搭載されたＰＣＢ（Printing Circuit Board）から成る上基板13と、上ヒンジフレーム14と、これらの部品を搭載する上カバー15などによって構成されている。そして携帯電話機としてユーザが目に留める外観部品は、上ケース12となる。なお、図示していないが、上ヒンジフレーム14はインサート成型により上ケース12に組み込むことによって構成しても良い。また、上ヒンジフレーム14がネジ止め、爪嵌合などの手段により上カバー15に固定されるようにしても良い。
【００４１】
また図１において第２の筺体は、キー操作部（図示せず）を設けるキー孔21が開けられた下カバー22と、電気部品（図示せず）が搭載されたＰＣＢ（Printing Circuit Board）から成る下基板23と、下ヒンジフレーム24と、これらの部品を搭載する下ケース25などによって構成されている。そして携帯電話機としてユーザが目に留める外観部品は、下カバー22となる。なお、図示していないが、下ヒンジフレーム24はインサート成型により下カバー22に組み込むことによって構成しても良い。また、下ヒンジフレーム24はネジ止め、爪嵌合などの手段により下ケース25に固定されるようにしても良い。
【００４２】
なお図１においてはヒンジ関連として、上記上ヒンジフレーム14及び下ヒンジフレーム24を結合するためのシャフト31、Ｅ型留め輪32，33、ヒンジ34が設けられ、さらに上基板および下基板を電気的に接続するフレキシブル基板35が図示されている。
【００４３】
図２は、図１のヒンジフレームとは異なり、図１のヒンジフレームが基板を保持するシャーシと一体構造となっている例を示すものである。すなわち図２において上シャーシ43と一体化されたヒンジ部42及び下シャーシ44と一体化されたヒンジ部42が図示されており、上シャーシ43は図１の上ケース12と上基板13の間、下シャーシ44は図１の下カバー22と下基板23の間に挿入されるようになっており、これにより外観部品の強度をより強くすることができる。また、上シャーシ43及び下シャーシ44に不要電磁波を吸収する電磁波吸収体（シールド）の機能を備えるようにしている。
【００４４】
図３は、図２と同じくヒンジフレームが基板を保持するシャーシと一体構造となっている構成において、光漏れリブ51を設けた例を示すものである。なお、光漏れは、折り畳み式携帯電話機を折り畳んだとき（図示せず）にケース・カバーの分割部に発生するものであるので、すなわち、インローの隙間があるところだけリブ51を設けることにより、外観部品嵌合部からの光漏れを防止することができる。
【００４５】
図４（ａ）及び図４（ｂ）は、シャーシの周囲にリブを設け、筺体を成す外観部品を補強するようにした構成を示すものである。すなわち、図４（ａ）はシャーシ62の周囲にコの字状の第１の補強リブ61を設けるようにしたものであり、また、図４（ｂ）は、シャーシ64の周囲にＨ型の第２の補強リブ63を設けるようにしたものである。この構成によれば、ケースやカバーなどの外観部品の強度を増すことができる。
【００４６】
図５（ａ）及び図５（ｂ）は、図４（ａ）及び図４（ｂ）と同じくシャーシの周囲にリブを設け、筺体を成す外観部品を補強するようにした構成であって、シャーシに孔を設けるようにした構成を示すものである。図５（ａ）は、周囲にコの字状の第１の補強リブ61を設けたシャーシ72に孔を設けるようにしたものであり、また、図５（ｂ）は、周囲にＨ型の第２の補強リブ63を設けたシャーシ74に孔を設けるようにしたものである。なお、シャーシに孔を設ける理由は、筐体を軽量化するため、および必要な部品高さを確保するためである。
【００４７】
図６は図１と別構成の本発明の実施の形態に係る折り畳み式携帯電話機の構成を示す分解斜視図である。図１と異な点は、シャーシには基板が収容された状態になっており、さらに、独立したヒンジフレームが上記シャーシにねじ止めなどにより固着されるようになっている点である。それ以外の構造は図１に示したものと同じである。ただし、シャフトやヒンジの取付け向きが図１の向きとは異なっている。
【００４８】
なお上記においてはもっぱら上ヒンジフレーム及び下ヒンジフレームのヒンジ部を複数個設けている例を示したが、これ以外に、上記した上ヒンジフレーム及び下ヒンジフレームのヒンジ部を１個だけ設けるようにしても良い。
【００４９】
こうすることにより、ヒンジ部が１個だけであるので、他方のヒンジ部の対応箇所にカメラ等の他の部品を搭載することができる。
【符号の説明】
【００５０】
11  表示部用窓
12  上ケース
13  上基板
14  上ヒンジフレーム
15  上カバー
21  キー孔
22  下カバー
23  下基板
24  下ヒンジフレーム
25  下ケース
31  シャフト
32、33  Ｅ型留め輪
34  ヒンジ
35  フレキシブル基板
41、42  ヒンジ部
43  上シャーシ
44  下シャーシ
51  光漏れ防止リブ
52  シャーシ
61  第１の補強リブ
62、64  シャーシ
63  第２の補強リブ
72、74  シャーシ
61  第１の補強リブ
61  第１の補強リブ
61  第１の補強リブ
61  第１の補強リブ
【図１】
2009268126.tif 000003
【図２】
2009268126.tif 000004
【図３】
2009268126.tif 000005
【図４】
2009268126.tif 000006
【図５】
2009268126.tif 000007
【図６】
2009268126.tif 000008